(57)【要約】【課題】燃料電池セルの発電電圧の低下の発生を抑制することができる燃料電池システムおよび燃料電池システムの運転方法を提供する。【解決手段】露点が−２０℃以上である状態が４８時間以上連続したときに、第１の上流側開閉弁および第１の下流側開閉弁と、第２の上流側開閉弁および第２の下流側開閉弁と、の開閉状態を切り替える制御を行なう燃料電池システムとその燃料電池システムの運転方法である。【選択図】図１
2012134056.tif 000002
【特許請求の範囲】
【請求項１】
燃料ガスの露点を測定するための露点測定器と、
前記燃料ガスから硫黄成分を除去するための第１の脱硫器および第２の脱硫器と、
前記燃料ガスの前記第１の脱硫器への流入量を調節するための第１の上流側開閉弁と、
前記燃料ガスの前記第１の脱硫器からの流出量を調節するための第１の下流側開閉弁と、
前記燃料ガスの前記第２の脱硫器への流入量を調節するための第２の上流側開閉弁と、
前記燃料ガスの前記第２の脱硫器からの流出量を調節するための第２の下流側開閉弁と、
前記第１の上流側開閉弁、前記第１の下流側開閉弁、前記第２の上流側開閉弁および前記第２の下流側開閉弁のそれぞれの弁の開閉を制御するための制御装置と、
前記第１の脱硫器または前記第２の脱硫器から流出した前記燃料ガスを用いて発電するための燃料電池装置と、を備え、
前記第１の上流側開閉弁は、前記露点測定器の下流側、かつ前記第１の脱硫器の上流側に設けられ、
前記第１の下流側開閉弁は、前記第１の脱硫器の下流側、かつ前記燃料電池装置の上流側に設けられており、
前記第２の上流側開閉弁は、前記露点測定器の下流側、かつ前記第２の脱硫器の上流側に設けられ、
前記第２の下流側開閉弁は、前記第２の脱硫器の下流側、かつ前記燃料電池装置の上流側に設けられており、
前記制御装置は、前記露点測定器から送られてくる前記露点の情報に基づいて前記露点が−２０℃以上である状態が４８時間以上連続したと判断したときに、前記第１の上流側開閉弁および前記第１の下流側開閉弁と、前記第２の上流側開閉弁および前記第２の下流側開閉弁と、の開閉状態を切り替える制御を行なう、燃料電池システム。
【請求項２】
前記制御は、前記第１の上流側開閉弁および前記第１の下流側開閉弁がそれぞれ開いており、前記第２の上流側開閉弁および前記第２の下流側開閉弁がそれぞれ閉じている場合には、前記第２の上流側開閉弁を開いた後に前記第２の下流側開閉弁を開き、その後、前記第１の下流側開閉弁を閉じた後に前記第１の上流側開閉弁を閉じる制御である、請求項１に記載の燃料電池システム。
【請求項３】
前記第１の上流側開閉弁、前記第１の下流側開閉弁、前記第２の上流側開閉弁および前記第２の下流側開閉弁の開閉をそれぞれ３００秒以上の時間をかけて行なう、請求項１または２に記載の燃料電池システム。
【請求項４】
前記第１の下流側開閉弁および前記第２の下流側開閉弁のそれぞれの下流側、かつ前記燃料電池装置の上流側に前記燃料ガスを改質するための改質器をさらに備えた、請求項１から３のいずれかに記載の燃料電池システム。
【請求項５】
請求項１から４のいずれかに記載の燃料電池システムを運転する方法であって、
前記露点測定器によって燃料ガスの露点を測定する工程と、
前記燃料ガスを前記第１の脱硫器に流入させて前記燃料ガスから硫黄成分を除去する工程と、
前記硫黄成分が除去された前記燃料ガスを前記第１の脱硫器から流出させる工程と、
前記第１の脱硫器から流出した後の前記燃料ガスを前記燃料電池装置に導く工程と、を含み、
前記露点が−２０℃以上である状態が４８時間以上連続したときに、前記第１の上流側開閉弁および前記第１の下流側開閉弁と、前記第２の上流側開閉弁および前記第２の下流側開閉弁と、の開閉状態を切り替える工程をさらに含む、燃料電池システムの運転方法。
【請求項６】
前記開閉状態を切り替える工程は、
前記第２の上流側開閉弁を開く工程と、
前記第２の上流側開閉弁を開いた後に前記第２の下流側開閉弁を開く工程と、
前記第２の下流側開閉弁を開いた後に前記第１の下流側開閉弁を閉じる工程と、
前記第１の下流側開閉弁を閉じた後に前記第１の上流側開閉弁を閉じる工程と、を含む、請求項５に記載の燃料電池システムの運転方法。
【請求項７】
前記第１の上流側開閉弁、前記第１の下流側開閉弁、前記第２の上流側開閉弁および前記第２の下流側開閉弁の開閉状態の切り替えをそれぞれ３００秒以上の時間をかけて行なう、請求項５または６に記載の燃料電池システムの運転方法。
【発明の詳細な説明】
【技術分野】
【０００１】
本発明は、燃料電池システムおよび燃料電池システムの運転方法に関する。
【背景技術】
【０００２】
近年、燃料が有する化学エネルギを電気エネルギに変換する燃料電池システムは、高効率でクリーンな発電装置として注目されている。
【０００３】
燃料電池システムは、炭化水素系の燃料ガスを改質器に通して水素ガスに改質した後に燃料電池スタックに導入することによって発電している。
【０００４】
このような燃料電池システムに用いられる燃料ガスには、燃料ガスの臭いによってガス漏れ等が察知できるように、硫黄化合物を含む付臭剤が添加されている。硫黄化合物は改質器の内部の改質触媒を被毒して触媒反応の活性を低下させる。そのため、従来より、燃料電池システムには、改質器の上流側に、燃料ガスに含まれる付臭剤を取り除くための脱硫器が設けられている。
【０００５】
たとえば特許文献１には、改質器の上流側に脱硫器が設けられた従来の燃料電池システムの一例が開示されている。図８に、従来の特許文献１に記載の燃料電池システムの模式的な構成図を示す。
【０００６】
図８に示すように、特許文献１の燃料電池システムにおいては、改質器１０７の上流側に、燃料ガス１０１中の硫黄成分を除去するための２基の脱硫器１０３，１０４が設けられている。脱硫器１０３，１０４の上流側の燃料配管１１１および下流側の燃料配管１１２には、それぞれ、切替弁１０２，１０５が設けられており、切替弁１０２，１０５の開閉によって、燃料ガス１０１中の硫黄成分を除去する脱硫器１０３，１０４を切り替えることができるようになっている。
【０００７】
また、脱硫器１０３，１０４の下流側に設置された燃料電池モジュール１１０には、改質器１０７とともに、燃料電池スタック１０８が設けられている。改質器１０７には、脱硫器１０３，１０４によって脱硫された後の燃料ガス１０１と、水蒸気１０６と、が供給されてこれらの反応により水素ガスが生成される。そして、燃料電池スタック１０８に、改質器１０７によって改質された水素ガスとともに、空気１０９が供給されて、燃料電池スタック１０８により発電が行なわれる。
【０００８】
なお、燃料電池スタック１０８は、酸化物イオン導電体からなる固体電解質層の両側に空気極層（カソード）と燃料極層（アノード）とを配した燃料電池セルが多数積層して構成されている。燃料電池セルの空気極層に空気１０９が供給され、燃料極層に水素ガスが供給されることによって、直流出力電流が得られる。
【先行技術文献】
【特許文献】
【０００９】
【特許文献１】特開２００７−１５７４８１号公報
【発明の概要】
【発明が解決しようとする課題】
【００１０】
しかしながら、上記の特許文献１の燃料電池システムは、改質器１０７の上流側に、切り替え可能な２基の脱硫器１０３，１０４を備えているにも関わらず、改質器１０７の内部の改質触媒が被毒されることがあった。これにより、燃料電池スタック１０８を構成する燃料電池セルにおいて発電される電力の電圧が低下することがあった。
【００１１】
一般に、燃料電池スタック１０８は、多数の燃料電池セルが電気的に直列に接続されて構成されており、１枚の燃料電池セルの発電電圧の低下によって、発電電圧が低下した燃料電池セルの性能を基準に発電試験を実施する必要があるため、その改善が要望されていた。
【００１２】
上記の事情に鑑みて、本発明の目的は、燃料電池セルの発電電圧の低下の発生を抑制することができる燃料電池システムおよび燃料電池システムの運転方法を提供することにある。
【課題を解決するための手段】
【００１３】
本発明は、燃料ガスの露点を測定するための露点測定器と、燃料ガスから硫黄成分を除去するための第１の脱硫器および第２の脱硫器と、燃料ガスの第１の脱硫器への流入量を調節するための第１の上流側開閉弁と、燃料ガスの第１の脱硫器からの流出量を調節するための第１の下流側開閉弁と、燃料ガスの第２の脱硫器への流入量を調節するための第２の上流側開閉弁と、燃料ガスの第２の脱硫器からの流出量を調節するための第２の下流側開閉弁と、第１の上流側開閉弁、第１の下流側開閉弁、第２の上流側開閉弁および第２の下流側開閉弁のそれぞれの弁の開閉を制御するための制御装置と、第１の脱硫器または第２の脱硫器から流出した燃料ガスを用いて発電するための燃料電池装置と、を備え、第１の上流側開閉弁は、露点測定器の下流側、かつ第１の脱硫器の上流側に設けられ、第１の下流側開閉弁は、第１の脱硫器の下流側、かつ燃料電池装置の上流側に設けられており、第２の上流側開閉弁は、露点測定器の下流側、かつ第２の脱硫器の上流側に設けられ、第２の下流側開閉弁は、第２の脱硫器の下流側、かつ燃料電池装置の上流側に設けられており、制御装置は、露点測定器から送られてくる露点の情報に基づいて露点が−２０℃以上である状態が４８時間以上連続したと判断したときに、第１の上流側開閉弁および第１の下流側開閉弁と、第２の上流側開閉弁および第２の下流側開閉弁と、の開閉状態を切り替える制御を行なう燃料電池システムである。
【００１４】
ここで、本発明の燃料電池システムにおいて、制御は、第１の上流側開閉弁および第１の下流側開閉弁がそれぞれ開いており、第２の上流側開閉弁および第２の下流側開閉弁がそれぞれ閉じている場合には、第２の上流側開閉弁を開いた後に第２の下流側開閉弁を開き、その後、第１の下流側開閉弁を閉じた後に第１の上流側開閉弁を閉じる制御であることが好ましい。
【００１５】
また、本発明の燃料電池システムにおいては、第１の上流側開閉弁、第１の下流側開閉弁、第２の上流側開閉弁および第２の下流側開閉弁の開閉をそれぞれ３００秒以上の時間をかけて行なうことが好ましい。
【００１６】
また、本発明の燃料電池システムは、第１の下流側開閉弁および第２の下流側開閉弁のそれぞれの下流側、かつ燃料電池装置の上流側に燃料ガスを改質するための改質器をさらに備えていることが好ましい。
【００１７】
さらに、本発明は、上記の燃料電池システムを運転する方法であって、露点測定器によって燃料ガスの露点を測定する工程と、燃料ガスを第１の脱硫器に流入させて燃料ガスから硫黄成分を除去する工程と、硫黄成分が除去された燃料ガスを第１の脱硫器から流出させる工程と、第１の脱硫器から流出した後の燃料ガスを燃料電池装置に導く工程と、を含み、露点が−２０℃以上である状態が４８時間以上連続したときに、第１の上流側開閉弁および第１の下流側開閉弁と、第２の上流側開閉弁および第２の下流側開閉弁と、の開閉状態を切り替える工程をさらに含む、燃料電池システムの運転方法である。
【００１８】
ここで、本発明の燃料電池システムの運転方法において、開閉状態を切り替える工程は、第２の上流側開閉弁を開く工程と、第２の上流側開閉弁を開いた後に第２の下流側開閉弁を開く工程と、第２の下流側開閉弁を開いた後に第１の下流側開閉弁を閉じる工程と、第１の下流側開閉弁を閉じた後に第１の上流側開閉弁を閉じる工程と、を含むことが好ましい。
【００１９】
また、本発明の燃料電池システムの運転方法においては、第１の上流側開閉弁、第１の下流側開閉弁、第２の上流側開閉弁および第２の下流側開閉弁の開閉状態の切り替えをそれぞれ３００秒以上の時間をかけて行なうことが好ましい。
【発明の効果】
【００２０】
本発明によれば、燃料電池セルの発電電圧の低下の発生を抑制することができる燃料電池システムおよび燃料電池システムの運転方法を提供することができる。
【図面の簡単な説明】
【００２１】
【図１】本発明の燃料電池システムの一例の模式的な構成図である。
【図２】露点測定器によって燃料ガスの露点を測定する方法の一例を図解する模式図である。
【図３】制御装置による開閉弁の開閉状態を切り替える制御の一例のフローチャートである。
【図４】吸着剤による付臭剤の理想的な吸着を図解する模式的な断面図である。
【図５】吸着剤の表面を水分が覆っているときには吸着剤により付臭剤が吸着されないメカニズムを図解する模式的な断面図である。
【図６】露点測定器によって測定された燃料ガスの露点が−２０℃以上である状態が４８時間未満連続した時点で脱硫器を切り替えたときの固体酸化物形燃料電池セルの発電電圧と経過時間との関係を示す図である。
【図７】露点測定器によって測定された燃料ガスの露点が−２０℃以上である状態が４８時間連続した時点で脱硫器を切り替えたときの固体酸化物形燃料電池セルの発電電圧と経過時間との関係を示す図である。
【図８】従来の特許文献１に記載の燃料電池システムの模式的な構成図である。
【発明を実施するための形態】
【００２２】
以下、本発明の実施の形態について説明する。なお、本発明の図面において、同一の参照符号は、同一部分または相当部分を表わすものとする。
【００２３】
図１に、本発明の燃料電池システムの一例の模式的な構成図を示す。図１に示す燃料電池システムは、燃料ガス１１の露点を測定するための露点測定器１２と、露点測定器１２の下流側に設けられた第１の脱硫器１７および第２の脱硫器１８と、第１の脱硫器１７および第２の脱硫器１８の下流側に設けられたブロワ２０と、ブロワ２０の下流側に設けられた流量計２１および圧力計２２と、流量計２１および圧力計２２の下流側に設けられた燃料電池モジュール２７と、燃料電池モジュール２７の下流側に設けられたインバータ２６と、を備えている。
【００２４】
燃料電池モジュール２７は、改質器２３と、改質器２３の下流側に設けられた燃料電池装置２４と、を備えており、改質器２３によって改質された水素ガスを含む燃料ガス１１を燃料電池装置２４に送り込むことができるとともに、燃料電池モジュール２７の外部から酸素ガス２５を燃料電池装置２４に送り込むことができる構成を有している。
【００２５】
露点測定器１２と第１の脱硫器１７との間には第１の上流側開閉弁１３が設けられており、第１の脱硫器１７とブロワ２０との間には第１の下流側開閉弁１５が設けられている。すなわち、第１の上流側開閉弁１３は、露点測定器１２の下流側、かつ第１の脱硫器１７の上流側に設けられており、第１の下流側開閉弁１５は、第１の脱硫器１７の下流側、かつ燃料電池装置２４の上流側に設けられている。
【００２６】
第１の上流側開閉弁１３は、第１の上流側開閉弁１３の開閉の程度によって燃料ガス１１の第１の脱硫器１７への流入量を調節することができ、たとえば、第１の上流側開閉弁１３が完全に開いている状態では燃料ガス１１を第１の脱硫器１７の内部に最大量流入させることができ、第１の上流側開閉弁１３が完全に閉じている状態では燃料ガス１１の第１の脱硫器１７の内部への流入を完全に阻止することができる。
【００２７】
第１の下流側開閉弁１５は、第１の下流側開閉弁１５の開閉の程度によって燃料ガス１１の第１の脱硫器１７からの流出量を調節することができ、たとえば、第１の下流側開閉弁１５が完全に開いている状態では燃料ガス１１を第１の脱硫器１７の内部から最大量流出させることができ、第１の下流側開閉弁１５が完全に閉じている状態では燃料ガス１１の第１の脱硫器１７の内部からの流出を完全に阻止することができる。
【００２８】
また、露点測定器１２と第２の脱硫器１８との間には第２の上流側開閉弁１４が設けられており、第２の脱硫器１８とブロワ２０との間には第２の下流側開閉弁１６が設けられている。すなわち、第２の上流側開閉弁１４は、露点測定器１２の下流側、かつ第２の脱硫器１８の上流側に設けられており、第２の下流側開閉弁１６は、第２の脱硫器１８の下流側、かつ燃料電池装置２４の上流側に設けられている。
【００２９】
第２の上流側開閉弁１４は、第２の上流側開閉弁１４の開閉の程度によって燃料ガス１１の第２の脱硫器１８への流入量を調節することができ、たとえば、第２の上流側開閉弁１４が完全に開いている状態では燃料ガス１１を第２の脱硫器１８の内部に最大量流入させることができ、第２の上流側開閉弁１４が完全に閉じている状態では燃料ガス１１の第２の脱硫器１８の内部への流入を完全に阻止することができる。
【００３０】
第２の下流側開閉弁１６は、第２の下流側開閉弁１６の開閉の程度によって燃料ガス１１の第２の脱硫器１８からの流出量を調節することができ、たとえば、第２の下流側開閉弁１６が完全に開いている状態では燃料ガス１１を第２の脱硫器１８の内部から最大量流出させることができ、第２の下流側開閉弁１６が完全に閉じている状態では燃料ガス１１の第２の脱硫器１８の内部からの流出を完全に阻止することができる。
【００３１】
第１の脱硫器１７および第２の脱硫器１８としては、従来から公知のものを用いることができ、たとえば、円筒状の容器と、円筒状の容器の内部に収容された吸着剤と、を有する構成のものを用いることができる。ここで、吸着剤としては、燃料ガス１１中の付臭剤として添加された硫黄化合物などの硫黄成分を吸着することによって、燃料ガス１１から硫黄成分を除去することができるものであれば特に限定されず、たとえば、活性炭などを用いることができる。
【００３２】
改質器２３としては、従来から公知のものを用いることができ、たとえば、容器と、容器の内部に収容された改質触媒と、を有する構成のものを用いることができる。ここで、改質触媒としては、第１の脱硫器１７または第２の脱硫器１８によって脱硫された後の燃料ガス１１と、改質器２３に供給された水蒸気と、を含む混合ガスの接触によって、水素ガスを含むガスに改質できるものであれば特に限定されない。
【００３３】
また、燃料電池装置２４としては、たとえば、固体酸化物形燃料電池セルの複数が電気的に直列に接続された燃料電池スタックなどを用いることができる。なお、固体酸化物形燃料電池セルは、固体酸化物からなる酸化物イオン伝導体と、酸化物イオン伝導体の一方の表面に設けられた空気極層と、酸化物イオン伝導体の他方の表面に設けられた燃料極層とを有している。
【００３４】
図１に示す燃料電池システムは、さらに制御装置１９を有している。制御装置１９は、露点測定器１２、第１の上流側開閉弁１３、第１の下流側開閉弁１５、第２の上流側開閉弁１４および第２の下流側開閉弁１６にそれぞれ接続されており、露点測定器１２から送られてくる露点の情報に基づいて露点が−２０℃以上である状態が４８時間以上連続したと判断したときに、第１の上流側開閉弁１３および第１の下流側開閉弁１５と、第２の上流側開閉弁１４および第２の下流側開閉弁１６と、の開閉状態を切り替える制御を行なう。
【００３５】
以下、図１に示す燃料電池システムを用いた燃料電池システムの運転方法の一例について説明する。なお、燃料電池システムの運転開始前には、第１の上流側開閉弁１３および第１の下流側開閉弁１５はそれぞれ完全に開いた状態とされ、第２の上流側開閉弁１４および第２の下流側開閉弁１６はそれぞれ完全に閉じた状態とされている。
【００３６】
まず、露点測定器１２によって燃料ガス１１の露点が測定される。図２に、露点測定器１２によって燃料ガス１１の露点を測定する方法の一例を図解する模式図を示す。
【００３７】
ここで、露点測定器１２は、分岐を有する配管３１の一方の分岐の先端に設置されており、露点測定器１２によって配管３１の内部を流れる燃料ガス１１の露点が計測されながら、燃料ガス１１が下流側の第１の脱硫器１７または第２の脱硫器１８に流入する。なお、露点測定器１２としては燃料ガス１１の露点を測定することができるものであれば特に限定されず、たとえば従来から公知の露点計などを用いることができる。
【００３８】
次に、燃料ガス１１を第１の脱硫器１７に流入させて燃料ガス１１から硫黄成分を除去する。ここで、第１の上流側開閉弁１３は完全に開いた状態とされ、第２の上流側開閉弁１４は完全に閉じた状態とされていることから、燃料ガス１１は、第１の上流側開閉弁１３を通して第１の脱硫器１７に流入する。そして、第１の脱硫器１７の内部に収容された吸着剤によって、燃料ガス１１から付臭剤を構成する硫黄化合物などの硫黄成分が除去される。
【００３９】
次に、硫黄成分が除去された燃料ガス１１を第１の脱硫器１７から流出させる。ここで、第１の下流側開閉弁１５は完全に開いた状態とされていることから、第１の脱硫器１７において硫黄成分が除去された燃料ガス１１は第１の下流側開閉弁１５を通して第１の脱硫器１７から流出する。
【００４０】
次に、燃料ガス１１を燃料電池モジュール２７の改質器２３に流入させる。ここで、燃料ガス１１は、ブロワ２０を通して改質器２３に流入させられ、改質器２３への流入前に流量計２１および圧力計２２によって燃料ガス１１の流量および圧力がそれぞれ測定される。
【００４１】
次に、改質器２３に流入した燃料ガス１１を改質器２３において改質する。ここで、改質器２３における燃料ガス１１の改質は、従来から公知の方法で行なうことができ、たとえば、改質器２３に流入した燃料ガス１１と改質器２３に供給された水蒸気とを含む混合ガスを改質器２３の内部に収容された改質触媒に接触させることによって、水素ガスを含むガスに改質して行なうことができる。
【００４２】
次に、改質器２３において改質された燃料ガス１１は、燃料電池装置２４に導入される。燃料電池装置２４は、複数の固体酸化物形燃料電池セルが電気的に直列に接続された燃料電池スタックにより構成されている。ここで、燃料電池装置２４には、改質器２３から水素ガスを含む改質後の燃料ガス１１と、燃料電池装置２４の外部から酸素ガス２５が供給される。水素ガスを含む燃料ガス１１は燃料電池装置２４を構成する各々の固体酸化物形燃料電池セルの燃料極層に供給され、酸素ガス２５は燃料電池装置２４を構成する各々の固体酸化物形燃料電池セルの空気極層に供給される。そして、燃料電池装置２４を構成する各々の固体酸化物形燃料電池セルにおいては、以下に示す反応式（ｉ）および（ｉｉ）に従った反応により発電が行なわれる。
空気極層：１／２Ｏ2＋２ｅ-→Ｏ2-  …（ｉ）
燃料極層：Ｈ2＋Ｏ2-→Ｈ2Ｏ＋２ｅ-  …（ｉｉ）
そして、燃料電池装置２４の発電によって生成した直流電流はインバータ２６で交流電流に変換されて燃料電池システムの外部に取り出されて利用される。
【００４３】
ここで、上記の燃料電池システムの運転方法においては、露点測定器１２で測定された燃料ガス１１の露点の情報が露点測定器１２から制御装置１９に常時送信されている。そして、制御装置１９が、燃料ガス１１の露点が−２０℃以上である状態が４８時間以上連続したと判断したときに、第１の上流側開閉弁１３および第１の下流側開閉弁１５と、第２の上流側開閉弁１４および第２の下流側開閉弁１６との開閉状態を切り替える制御を行なう。
【００４４】
より具体的には、制御装置１９が、燃料ガス１１の露点が−２０℃以上である状態が４８時間以上連続したと判断したときに、完全に開いた状態となっている第１の上流側開閉弁１３および第１の下流側開閉弁１５をそれぞれ完全に閉じるとともに、完全に閉じた状態となっている第２の上流側開閉弁１４および第２の下流側開閉弁１６をそれぞれ完全に開く制御を行なう。
【００４５】
図３に、制御装置１９による開閉弁の開閉状態を切り替える制御の一例のフローチャートを示す。まず、ステップＳ１において、制御装置１９が、露点測定器１２から送信されてくる燃料ガス１１の露点の情報に基づき、燃料ガス１１の露点が−２０℃以上である状態が４８時間以上連続しているかどうかの判断を行なう。
【００４６】
ここで、制御装置１９が、燃料ガス１１の露点が−２０℃以上である状態が４８時間以上連続していないと判断した場合には、引き続き、露点測定器１２から送信されてくる燃料ガス１１の露点の情報に基づき、燃料ガス１１の露点が−２０℃以上である状態が４８時間以上連続しているかどうかの判断を続ける。
【００４７】
一方、制御装置１９が、燃料ガス１１の露点が−２０℃以上である状態が４８時間以上連続していると判断した場合には、以下のステップＳ２〜Ｓ５の工程を行なう。
【００４８】
まず、ステップＳ２において、完全に閉じた状態となっている第２の上流側開閉弁１４を完全に開く。これにより、燃料ガス１１は、第１の脱硫器１７だけでなく、第２の脱硫器１８にも流入する。
【００４９】
次に、第２の上流側開閉弁１４を完全に開いた後に、ステップＳ３において、完全に閉じた状態となっている第２の下流側開閉弁１６を完全に開く。これにより、第２の脱硫器１８に流入した燃料ガス１１を第２の脱硫器１８から流出させることができるため、この段階では、第１の脱硫器１７および第２の脱硫器１８の２基で燃料ガス１１の脱硫が行なわれていることになる。
【００５０】
次に、第２の下流側開閉弁１６を完全に開いた後に、ステップＳ４において、完全に開いた状態となっている第１の下流側開閉弁１５を完全に閉じる。これにより、第１の脱硫器１７からの燃料ガス１１の流出が完全に阻止される。
【００５１】
次に、第１の下流側開閉弁１５を完全に閉じた後に、ステップＳ５において、完全に開いた状態となっている第１の上流側開閉弁１３を完全に閉じる。これにより、第１の脱硫器１７への燃料ガス１１の流入が完全に阻止されるため、この段階で、第１の脱硫器１７から第２の脱硫器１８への脱硫器の切り替えが完了する。その後、使用済みの第１の脱硫器１７、または使用済みの第１の脱硫器１７の内部に収容された吸着剤が、新たなものに取り替えられる。
【００５２】
次に、第１の上流側開閉弁１３を完全に閉じた後に、ステップＳ６において、制御装置１９は、露点測定器１２から送信されてくる燃料ガス１１の露点の情報に基づき、再度、燃料ガス１１の露点が−２０℃以上である状態が４８時間以上連続しているかどうかの判断を行なう。
【００５３】
ここで、制御装置１９が、燃料ガス１１の露点が−２０℃以上である状態が４８時間以上連続していないと判断した場合には、引き続き、燃料ガス１１の露点が−２０℃以上である状態が４８時間以上連続しているかどうかの判断を続ける。
【００５４】
一方、制御装置１９が、燃料ガス１１の露点が−２０℃以上である状態が４８時間以上連続していると判断した場合には、以下のステップＳ７〜Ｓ１０の工程を行なう。
【００５５】
まず、ステップＳ７において、完全に閉じた状態となっている第１の上流側開閉弁１３を完全に開く。これにより、燃料ガス１１は、第２の脱硫器１８だけでなく、第１の脱硫器１７にも流入する。
【００５６】
次に、第１の上流側開閉弁１３を完全に開いた後に、ステップＳ８において、完全に閉じた状態となっている第１の下流側開閉弁１５を完全に開く。これにより、第１の脱硫器１７に流入した燃料ガス１１を第１の脱硫器１７から流出させることができるため、この段階では、第１の脱硫器１７および第２の脱硫器１８の２基で燃料ガス１１の脱硫が行なわれることになる。
【００５７】
次に、第１の下流側開閉弁１５を完全に開いた後に、ステップＳ９において、完全に開いた状態となっている第２の下流側開閉弁１６を完全に閉じる。これにより、第２の脱硫器１８からの燃料ガス１１の流出が完全に阻止される。
【００５８】
次に、第２の下流側開閉弁１６を完全に閉じた後に、ステップＳ１０において、完全に開いた状態となっている第２の上流側開閉弁１４を完全に閉じる。これにより、第２の脱硫器１８への燃料ガス１１の流入を完全に阻止することができるため、この段階で、第２の脱硫器１８から第１の脱硫器１７への脱硫器の切り替えが完了する。その後、使用済みの第２の脱硫器１８、または使用済みの第２の脱硫器１８の内部に収容された吸着剤が、新たなものに取り替えられる。
【００５９】
その後は、また、ステップＳ１に戻って、制御装置１９が、露点測定器１２から送信されてくる燃料ガス１１の露点の情報に基づき、燃料ガス１１の露点が−２０℃以上である状態が４８時間以上連続しているかどうかの判断を行なう。
【００６０】
このように、脱硫器の切り替えのタイミングの判断基準を、脱硫器への流入前の燃料ガス１１の露点が−２０℃以上である状態が４８時間以上連続していることにすることによって、燃料電池装置２４を構成する各々の固体酸化物形燃料電池セルの発電電圧の低下の発生を抑制することができる。これは、本発明者が以下の知見を見い出したことによるものである。
【００６１】
すなわち、第１の脱硫器１７および第２の脱硫器１８の内部にそれぞれに収容されている吸着剤は、理想的には、たとえば図４の模式的断面図に示すように、吸着剤４１の表面に付臭剤４２を吸着することによって、燃料ガス１１中の硫黄成分を除去する。
【００６２】
ここで、本発明者は、燃料ガス１１には水分が含まれており、燃料ガス１１に水分が含まれている場合には、たとえば図５の模式的断面図に示すように、吸着剤４１の表面を水分４３が覆うため、付臭剤４２が吸着剤４１の表面に吸着されにくくなることを見い出した。
【００６３】
そして、本発明者は、吸着剤４１の表面を水分４３が覆うことにより吸着剤４１の表面に吸着されなかった付臭剤４２が、第１の脱硫器１７および第２の脱硫器１８の下流側の改質器２３に流入し、改質器２３の内部の改質触媒を徐々に被毒していくため、改質器２３の内部の改質触媒による触媒反応の活性が低下して、燃料電池装置２４を構成する各々の固体酸化物形燃料電池セルに良質の改質ガスを供給することが次第に難しくなることにより、固体酸化物形燃料電池セルの発電電圧が低下するのではないかと考えた。
【００６４】
そこで、本発明者は、燃料ガス１１に含まれる水分に着目し、図１に示す構成の燃料電池システムを用い、第１の脱硫器１７、第２の脱硫器１８および改質器２３をそれぞれ燃料ガス１１中の水分の影響を最も受けやすい条件として、第１の脱硫器１７と第２の脱硫器１８との切り替えのタイミングについて鋭意検討した。
【００６５】
その結果、露点測定器１２によって測定された燃料ガス１１の露点が−２０℃以上である状態が４８時間未満連続した時点で、上記のステップＳ２〜Ｓ５またはステップＳ７〜Ｓ１０のように、第１の上流側開閉弁１３および第１の下流側開閉弁１５と、第２の上流側開閉弁１４および第２の下流側開閉弁１６と、の開閉状態を切り替えて、第１の脱硫器１７と第２の脱硫器１８とを切り替えたときには、たとえば図６に示すように、ある一定の経過時間Ｔにおいて、燃料電池装置２４を構成する各々の固体酸化物形燃料電池セルの発電電圧の低下は見られなかった。
【００６６】
しかしながら、露点測定器１２によって測定された燃料ガス１１の露点が−２０℃以上である状態が４８時間連続した時点で、上記のステップＳ２〜Ｓ５またはステップＳ７〜Ｓ１０のように、第１の上流側開閉弁１３および第１の下流側開閉弁１５と、第２の上流側開閉弁１４および第２の下流側開閉弁１６と、の開閉状態を切り替えて、第１の脱硫器１７と第２の脱硫器１８とを切り替えたときには、たとえば図７に示すように、ある一定の経過時間Ｔにおいて、燃料電池装置２４を構成する１つの固体酸化物形燃料電池セルの発電電圧の低下が見られた。
【００６７】
以上の結果が燃料ガス１１中の水分の影響を最も受けやすい脱硫器および改質器の条件で得られたことを考慮すると、露点測定器１２によって測定された燃料ガス１１の露点が−２０℃以上である状態が４８時間以上連続したとき、好ましくは４８時間未満連続したときに、第１の上流側開閉弁１３および第１の下流側開閉弁１５と、第２の上流側開閉弁１４および第２の下流側開閉弁１６と、の開閉状態を切り替える制御を行なうことによって、燃料電池装置２４を構成する固体酸化物形燃料電池セルの発電電圧の低下の発生を抑制することができると考えられる。
【００６８】
なお、図６および図７において、縦軸は燃料電池装置２４を構成する固体酸化物形燃料電池セルの発電電圧を示し、横軸は経過時間を示している。
【００６９】
上記において、第１の上流側開閉弁１３、第１の下流側開閉弁１５、第２の上流側開閉弁１４および第２の下流側開閉弁１６の開閉状態の切り替えをそれぞれ３００秒以上の時間をかけて行なうことが好ましい。これらの開閉弁の開閉状態の切り替えを３００秒未満の短時間で行なった場合には、これらの開閉弁の開閉状態の切り替え時に、固体酸化物形燃料電池セルの発電電圧が急激に低下することがある。そのため、３００秒以上の時間をかけてゆっくりと開閉状態の切り替えを行なうことにより、固体酸化物形燃料電池セルの発電電圧の急激な低下を抑制することができる。
【００７０】
なお、第１の上流側開閉弁１３、第１の下流側開閉弁１５、第２の上流側開閉弁１４および第２の下流側開閉弁１６の開閉状態のそれぞれの切り替え時間は６００秒以下であることが好ましい。この場合には、それぞれの開閉状態の切り替えをより効率的に行なうことができる傾向にある。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７２】
本発明は、燃料電池システムおよび燃料電池システムの運転方法に利用することができる。
【符号の説明】
【００７３】
１１  燃料ガス、１２  露点測定器、１３  第１の上流側開閉弁、１４  第２の上流側開閉弁、１５  第１の下流側開閉弁、１６  第２の下流側開閉弁、１７  第１の脱硫器、１８  第２の脱硫器、１９  制御装置、２０  ブロワ、２１  流量計、２２  圧力計、２３  改質器、２４  燃料電池装置、２５  酸素ガス、２６  インバータ、２７  燃料電池モジュール、３１  配管、４１  吸着剤、４２  付臭剤、４３  水分、１０１  燃料ガス、１０２，１０５  切替弁、１０３，１０４  脱硫器、１０６  水蒸気、１０７  改質器、１０８  燃料電池スタック、１０９  空気、１１０  燃料電池モジュール、１１１，１１２  燃料配管。
【図１】
2012134056.tif 000003
【図２】
2012134056.tif 000004
【図３】
2012134056.tif 000005
【図４】
2012134056.tif 000006
【図５】
2012134056.tif 000007
【図６】
2012134056.tif 000008
【図７】
2012134056.tif 000009
【図８】
2012134056.tif 000010